(57)【要約】      （修正有）【課題】建築物、庭園、古い町並み、社寺などの趣を良くするための照明装置を提供することにある。【解決手段】照明装置１０は、陶器、磁器、石材のいずれかで形成された立体形状の外装材１２と、外装材１２によって形成された内部空間に配置した調光器１３と、外装材１２の内壁に取り付けられ、内部空間に調光器１３を配置するための支持部材１４ａと、支持部材１４ａまたは調光器１３に取り付けられ、調光器１３から電力が供給されるランプＬとを備える。【選択図】図２
0003116443.tif 000002
【実用新案登録請求の範囲】
【請求項１】
陶器、磁器、または石材で形成された立体形状の外装材と、
前記外装材によって形成された内部空間に配置した調光器と、
前記外装材の内壁に取り付けられ、前記内部空間に調光器を配置するための支持部材と、
前記支持部材または調光器に取り付けられ、前記調光器から電力が供給されるランプと、
を備えた照明装置。
【請求項２】
前記外装材に窓部を有し、該窓部にランプの光を透過させるスクリーンを配置した請求項１の照明装置。
【請求項３】
前記スクリーンが和紙、ワーロン紙、ガラス、樹脂フィルムの少なくとも１つを含む請求項２の照明装置。
【請求項４】
前記外装材の底部にランプの光が漏れる切り欠きを設けた請求項１乃至３の照明装置。
【請求項５】
前記調光器が、前記ランプに印加する電流・電圧を変化させる回路を有する請求項１乃至４の照明装置。
【考案の詳細な説明】
【技術分野】
【０００１】
本考案は、建築物や庭園などの趣を良くする照明装置に関するものである。
【背景技術】
【０００２】
料亭や旅館などでは、蛍光灯などの現代の照明装置を使用せず、趣が向上する照明装置を使用することが多い。例えば、特許文献１に開示される照明装置ようなロウソクの持つゆらぎを模擬する照明装置を使用することが考えられる。この照明装置は、電磁石による振動によって光を揺らがせることができる。
【０００３】
しかし、特許文献１に開示された照明装置は、電磁石によって機械的な振動を発生させるため、振動によってロウソクでは発生することのない不要な音が発生するおそれがある。したがって、その場の趣を壊すおそれがある。
【０００４】
【特許文献１】特開平６−５２７０９号公報
【考案の開示】
【考案が解決しようとする課題】
【０００５】
本考案は、建築物、庭園、古い町並み、社寺などの趣を良くするための照明装置を提供することにある。
【課題を解決するための手段】
【０００６】
本考案の照明装置は、陶器、磁器、石材のいずれかで形成された立体形状の外装材と、前記外装材によって形成された内部空間に配置した調光器と、前記外装材の内壁に取り付けられ、前記内部空間に調光器を配置するための支持部材と、前記支持部材または調光器に取り付けられ、前記調光器から電力が供給されるランプとを備える。
【０００７】
前記外装材に窓部を有し、該窓部にランプの光を透過させるスクリーンを配置してもよい。
【０００８】
前記スクリーンが和紙、ワーロン紙、ガラス、樹脂フィルムの少なくとも１つを含むようにしてもよい。
【０００９】
前記外装材の底部にランプの光が漏れる切り欠きを設けてもよい。
【００１０】
前記調光器は、前記ランプに印加する電流・電圧を変化させる回路を有してもよい。
【考案の効果】
【００１１】
本考案によると、外装材が陶器、磁器、石材などで構成されることにより和風の照明装置となっている。ランプの光を環境に合わせて調光することができる。
【考案を実施するための最良の形態】
【００１２】
本考案に係る照明装置の実施形態について図面を用いて説明する。図１の照明装置１０は和風の旅館、料亭、古い町並み、社寺などに使用する照明装置である。
【００１３】
図２に示すように、本考案の照明装置１０は、陶器、磁器、石材のいずれかで形成された立体形状の外装材１２と、外装材１２によって形成された内部空間に配置した調光器１３と、外装材１２の内壁に取り付けられ、内部空間に調光器１３を配置するための支持部材１４ａと、支持部材１４ａに取り付けられ、調光器１３から電力が供給されるランプＬとを備える。
【００１４】
外装材１２は、陶器、磁器、石材のいずれかで形成することによって社寺、古い町並み、旅館、料亭などにあう照明装置となる。また、外装材１２の形状は、円筒、角錐、円錐、箱形など任意であり、底面はランプＬなどを取り付けるために開口している。外装材１２は任意の位置に曲線形状を含めても良い。外装材１２の大きさは使用場所によって変えるのが好ましい。また、陶器または磁器と石材が一体的に形成されたものでも良く、陶器または磁器の中に細かな石材が含まれるようにする。
【００１５】
外装材１２には、外装材１２の側部の一部を開口した窓部１６を有し、窓部１６にランプＬの光を透過させるスクリーン１８を配置する。窓部１６の形状は、丸、三角、四角、種々の形状の組み合わせなど任意であり、図１に示す窓部はＬ字型である。窓部１６の数も任意である。スクリーン１８は、外装材１２の内壁に接着剤で貼り付け、窓部１６の一部または全部にスクリーン１８を配置する。スクリーン１８は和紙、ワーロン紙、すりガラスやステンドガラスなどのガラス、和風の模様などを有する樹脂フィルムの少なくとも１つである。提灯、灯籠などと同じように明かりがともるようにする。なお、スクリーン１８がガラスであれば、窓部１６にはめ込むようにしても良い。
【００１６】
外装材１２の底部にランプＬの光が漏れる切り欠き２０を設けている。切り欠き２０の形状は任意である。切り欠き２０によって外装材１２の底部から光が漏れて足下をうっすらと照らすことができる。また、調光器１３を商用電源につなぐコードが切り欠き２０を通過するようにする。このコードの任意の位置にスイッチを設けて、電源からの電力の供給をオン・オフできるようにしても良い。このスイッチは、光によってオン・オフできる光センサーを有するスイッチにし、暗くなったときに自動的にオンするようにしてもよい。または、タイマーによって所定の時間にオン・オフするスイッチであっても良い。
【００１７】
支持部材１４ａが外装材１２の内壁に取り付けられている。取り付け方法は、ねじ止め、接着など種々の方法が可能である。支持部材１４ａの一部が直接または任意の部材を介して間接的に外装材１２の内壁に取り付けられる。支持部材１４ａは金属板、樹脂板、木板などである。図２には断面がコの字型の支持部材１４ａを示している。この支持部材１４ａの任意の位置、例えば支持部材１４ａで形成される内部空間に調光器１３を配置する。調光器１３からランプＬに電線（図示せず）を用いて電力を供給する。
【００１８】
支持部材１４ａの形状は図２の形状に限定されない。例えば、図３（ａ）に示すような断面がＬ字型の支持部材１４ｂであっても良い。ランプＬが配置される面と反対の面に調光器１３を配置している。また、ランプＬなどが配置される一辺とは違う一辺が外装材１２の内壁に取り付けられる。さらに、図３（ｂ）に示すように、ランプＬが調光器１３に直接取り付けられても良い。その他、支持部材１４ａを箱形にし、内部に調光器１３を配置しても良い。
【００１９】
調光器１３には、ランプＬに印加する電流および電圧を変化させる回路を含む。回路は、ランプＬに印加する電流および電圧を変化させる。ランプＬの光が環境に合わせて変化させるためである。この回路の例としては、電流および電圧を変化させるようにプログラムされたマイコン、外部変化を検知するセンサーとセンサーの出力変化によって電流および電圧を変化させる回路、または電流および電圧を直線的にまたは段階的に手動で変化させる変圧器（スイッチ）である。これらの手段を少なくとも１つ備えるようにする。センサーが切り欠き２０から入る風などを検知するセンサーであれば、風の変化によって光が揺らぐようになる。センサーがスクリーン１８を透過する外部光の明暗を検知するセンサーであって、光の明暗によってランプＬの電源をオン・オフするようにしてもよい。
【００２０】
なお、ランプＬは、白熱電球、蛍光灯、発光ダイオードなどの任意の発光体を使用しても良い。ランプＬに電力を供給するためのソケット（図示せず）は、支持部材１４ａまたは調光器１３に取り付けられる。
【００２１】
上述した本考案の照明装置１０は、和風建築物などにあうように陶器などで外装材１２を形成し、ランプＬの光を時間的に変化させると外装材１２の中にロウソクを使用しているように模擬することができる。
【００２２】
以上、本考案について説明したが、本考案は上述の実施形態に限定されるものではない。ランプＬに印加する電流と電圧を変化させる回路を調光器に設けたが、一定の電流と電圧をランプＬに印加する構成であっても良い。すなわち、図３（ｃ）に示すように、支持部材１４ｂには上述した調光器１３を設けず、一定の電力をランプＬに供給する。一定の光量でランプＬが光ることとなる。
【００２３】
図４の照明装置３０のように、外装材３２の側部に隙間３４を設ける構成であっても良い。図５に示すように、外装材３２の側部に沿って一周したときに、側部同士つながらずに隙間３４を有して重なっている。重なる部分は直線形状以外に曲線を含む形状であっても良い。直接ランプＬの光が漏れず、この隙間から光が漏れることによって、その場の趣を良くすることができる。
【００２４】
また、外装材１２，３２の上部が開口するようにしてもよい。この開口部の形状は任意であり、数も任意である。上方に光が漏れるようにする。
【００２５】
さらに、外装材１２，３２の色彩および模様も任意であり、その場にあう雰囲気にすることができる。ランプＬの不使用時でも色彩および模様によってその場の雰囲気を壊さないようにする。
【００２６】
窓部１６にスクリーン１８を配置したが、スクリーン１８の無い窓部１６であってもよい。また、複数の窓部１６を設けたときに、スクリーン１８を有する窓部１６と無い窓部１６とを混在させても良い。
【００２７】
調光器１３に設けられる回路は、ランプＬに印加する電圧を規則的に変化させる回路であっても良い。パルス回路を用いて周期的にその電圧を変化させる。
【００２８】
調光器１３およびランプＬの数も複数にしても良い。前述のパルス回路を各調光器１３に設けて、各ランプＬが点灯するタイミングをずらす。このタイミングのずれによって、スクリーン１８を透過する光が揺らいでいるようにすることができる。
【００２９】
その他、本考案は、その主旨を逸脱しない範囲で当業者の知識に基づき種々の改良、修正、変更を加えた態様で実施できるものである。
【図面の簡単な説明】
【００３０】
【図１】本考案に係る照明装置の外観を示す図である。
【図２】照明装置の内部空間を示す断面図である。
【図３】本考案に使用する支持部材の他の例を示す図であり、（ａ）は支持部材がＬ字型の図であり、（ｂ）は支持部材の一面に調光器とランプを配置した図であり、（ｃ）は調光器を設けない図である。
【図４】本考案に係る他の照明装置の外観を示す図である。
【図５】図４の照明装置の隙間の構成を示す断面図である。
【符号の説明】
【００３１】
１０、３０：照明装置
１２、３２：外装材
１３：調光器
１４ａ，１４ｂ：支持部材
１６：窓部
１８：スクリーン
２０：切り欠き
３４：隙間
【図１】
0003116443.tif 000003
【図２】
0003116443.tif 000004
【図３】
0003116443.tif 000005
【図４】
0003116443.tif 000006
【図５】
0003116443.tif 000007